(57)【要約】【課題】交換可能な袋体を装着して使用する犬糞の収容具は多く普及しているが、袋体を装着した筒状の枠体もしくは輪でその内側に糞を受けることは、収容具の操作により位置やタイミングが合わなければ、糞は内側以外に落下もしくは付着し、その付着する場所が様々で、装着した袋体の内周及び外周の両面に糞が付着すると取り外し時に素手では掴みにくく、別途始末を要し面倒である。内周もしくは外周のいずれか一方の面のみに糞が堆積、付着するように袋体を装着できる犬糞の収容具が必要である。【解決手段】糞を収容できる交換可能な袋体と、この袋体を装着する筒状の枠体と、この枠体の外周一側から下方に垂設した支柱と、この支柱の下端を支持する先端より他端に向けた一定の部分が下方に折曲した柄と、この柄の他端に形成された把持部と、前記枠体に複数個周設された前記袋体の係止部材とからなる犬糞の収容具。【選択図】図３
2005065579.tif 000002
【特許請求の範囲】
【請求項１】
糞を収容できる交換可能な袋体と、この袋体を装着する筒状の枠体と、この枠体の外周一側から下方に垂設した支柱と、この支柱の下端を支持する先端より他端に向けた一定の部分が下方に折曲した柄と、この柄の他端に形成された把持部と、前記枠体に複数個周設された前記袋体の係止部材とからなる犬糞の収容具。
【請求項２】
筒状の枠体に袋体を開口して下向きに、この枠体上端より外周に沿い過半を被せ、残る前記袋体を底部から前記枠体上端より内周に向け前記袋体の開口部を超えない位置まで押込み、前記枠体の内周上に糞を収容する袋体の凹みを、前記枠体の外周上に糞を撥する袋体の覆いを形成して装着することを特徴とした請求項１における犬糞の収容具。
【請求項３】
筒状の枠体の高さは、装着する袋体の開口部より底部までの長さの半分未満であり前記枠体上端から前記枠体の外周一側より下方に垂設した支柱の下端までの高さは前記袋体の開口部より底部までの長さの半分超であることを特徴とする請求項１の犬糞の収容具。
【請求項４】
先端より他端に向けた一定の部分を下方にくの字に折曲形成した柄の先端と、筒状の枠体の外周一側から下方に垂設した支柱の下端をＶ字型を形成するように接合して、前記枠体と前記柄および把持部を水平に配置したことを特徴とする請求項１の犬糞の収容具。 
【請求項５】
筒状の枠体の外周に複数個の円孔を貫設し、前記円孔に弾性復元力のある部材を貼着または嵌着し、前記枠体に装着した袋体を押し込んで係止めさせるための開閉可能の切り込みを穿設したことを特徴とする請求項１の犬糞の収容具。
【発明の詳細な説明】
【技術分野】
【０００１】
本発明は、犬が排泄する糞を、肛門下の空中、または地面において袋体に収容する用具に関する。
【背景技術】
【０００２】
輪もしくは筒状の枠体に交換可能な袋体を一時的に固定する係止手段により装着して、前記輪もしくは枠体の外周一側を先端で支持する柄及び柄の他端にある把持部において操作をして、袋体を装着した状態の前記輪もしくは枠体の上端より内周に犬糞を収容し袋詰めして廃棄する犬糞の収容具がある。
【０００３】
この用具に使用する糞を収容する袋体は開口部より底部にかけた内周面又は外周面のいずれか一方を汚れる面として使用し、糞を受け堆積させ、他の一方の面を汚れない面として使用し、この面を手づかみして袋体を取り外し廃棄している。
【０００４】
筒状の枠体の外周一側に柄を突設して、この柄の他端に操作用の把持部を設け、袋体を開口し筒状の枠体の下端より内周を経て上端から外周に開口部周縁を折り返して装着し、この折り返し部分にゴム等の弾性紐部材を周回させて係止させ、袋体を一時的に固定した犬糞の収容具がある（例えば、特許文献1参照。）。
【０００５】
筒状の枠体の外周一側に柄を突設して、この柄の他端に操作用の把持部を設け、袋体を開口し筒状の枠体の下端より内周を経て上端から外周に開口部周縁を折り返して装着し、折り返した袋体の開口部周縁裏側と枠体外周の摩擦により袋体を一時的に固定した犬糞の収容具がある（例えば、特許文献２参照。）。
【０００６】
輪を一端で支持する柄の先端にＵ字型の溝を形成して、袋体を開口し輪の下端より内周を経て上端から外周に折り返して装着た際に、柄が袋体の折り返し部分に支障とならないようにして、輪に対し袋体の開口部周縁を均一に折り返して装着できるようにした犬糞の収容具がある（例えば、特許文献３参照。）。
【０００７】
袋体を開口して下方に向け、輪の上端から外周に向け袋体の開口部周縁を被せ、袋体底部を輪の内周に押し込んで糞を収容する凹みを、被せた袋体の開口部周縁で糞を撥する覆いを形成し、この折り返された袋体の開口部周縁で輪に一時的に袋体を固定した犬糞の収容具がある（例えば、特許文献４参照。）。
【０００８】
袋体の保持部を一対のコの字型に形成して、袋体の下半分を挟んだ後、袋体の上半分を外側に折り返して保持し得るようにし、通常は把手のバネにより袋体をその状態で閉じたまま保持して待機し必要の際は把手を握り締めて袋体を開口する構造の犬糞の収容具がある（例えば、特許文献５参照。）。
【０００９】
外周一端に柄を突設した輪に開口した袋体を柄と対向する一側より水平に被せて、柄の上側にある袋体の開口部の一端をクリップで止め、輪の上側にある袋体の外周側面を輪の内側に押し込んで凹みを形成し犬糞を収容できるようにした犬糞の収容具がある（例えば、特許文献６参照。）。
【特許文献１】実用新案登録第３０６４４０５号公報
【特許文献２】実用新案登録第３０１２０７６号公報
【特許文献３】特開２００２−２２３６５６号公報
【特許文献４】実用新案登録第３００１５７２号公報
【特許文献５】特開平１１−１７８４６７号公報
【特許文献６】実用新案登録第３０２８３５６号公報
【発明の開示】
【発明が解決しようとする課題】
【００１０】
犬糞の収容具において、袋体を装着した筒状の枠体もしくは輪でその内側に糞を受けることは、収容具の操作により位置やタイミングが合わなければ、糞は内側以外に落下もしくは付着し、その付着する場所が様々で、装着した袋体の内周及び外周の両面に糞が付着すると取り外し時に素手では掴みにくく、別途始末を要し面倒である。
【００１１】
前記特許文献１に記載される考案の場合は、筒状の枠体の外周に柄を突設しているためこれが支障となり袋体開口部の折り返しはそのままでは柄よりも下方に伸ばせない。該考案では袋体にスリットを切ることで開口部を柄よりも下方に伸ばしているが、袋の底部付近は開口部より下に露出しており、枠体上端からこの部分に糞が滴り付着すると袋体の内外周面に糞が付着する場合がある。なお底部周辺を開口部周縁で覆うためには前記スリットを袋体開口部から底部前の略半分の長さまで切り込まなければならない。また袋体を装着した筒状の枠体の外周に糞が滴り係止用のゴムに糞が付着すると取り外し時に糞の飛び散りを招く場合がある。
【００１２】
前記特許文献２に記載される考案の場合は、袋体の係止部材を使用しないため面倒が無く便利であるが、袋体の開口部周縁裏側と枠体の間の摩擦を用いた一時的な固定であるため、袋体の周長が装着する筒状の枠体の周長に比べ同じか若干少なめでなければならず装着できる袋体が限定される。
【００１３】
前記特許文献３に記載される発明の場合は、Ｕ字型の溝の深さは袋体の開口部から底部までの長さの半分に満たず、袋体の折り返し部分が糞を撥する覆いとして機能するのは開口部周縁付近のみであり、底部にかけた袋体外周の大半は露出しておりこの部分に滴り落ちた糞が付着する場合がある。また係止めは１箇所でなされており、袋体の開口部周縁裏側が輪に対して密着して摩擦力により一時的に固定されており、装着できる袋体の開口部周長が限定される。
【００１４】
前記特許文献４に記載される考案の場合、袋体の開口部周縁のみが輪の外周に被せられているため、糞を受け堆積させる袋体の凹みの反対面は大半が輪の外周にある袋体の覆いより露出しており、滴り落ちた糞が袋体の内外周両面に付着する可能性がある。また係止めは１箇所でなされ、袋体開口部周縁が輪に対して密着し摩擦力により一時的に固定されており、装着できる袋体の開口部周長が限定される。
【００１５】
前記特許文献５に記載される発明の場合、袋体の下半分をコの字型の枠対に挟み、残りの袋体の上半分を外側に折り返して枠体上端に保持しており、この折り返し部分の高さが、袋の開口部から底部までの長さの略半分であるため袋体の下半分の外周に対して覆いとして機能するが、袋体の保持する枠体に袋体を一時的に固定する係止め機能が存在せず、装着位置が開閉もしくは収容した糞の重みでずれると、袋体の下半分が上半分より露出しそこに滴り落ちた糞が付着する可能性がある。
【００１６】
前記特許文献６に記載される考案の場合、柄の上側にある袋体の開口部の一端をクリップで止め袋体の凹みに堆積した糞の重さで、柄と対向する側の輪と密着する袋体内周面との摩擦力により袋体が一時的に輪に固定されて保持されている。糞の重さにより袋体の凹みがより下方に移動すると、袋体の輪の下方にある開口部から下に凹みの裏側である面が露出し袋体の内周部が露出することになり、袋体を装着した輪の外側に滴り落ちた糞がここに付着する可能性がある。また輪の直径より閉じた袋体の開口部幅が大であれば袋体は輪に被せることができるのに対し、開口部の一端をクリップで係止し外周側面の凹みに糞を堆積させた状態で袋体を取り外す場合開口部の周長は輪の直径の円周率倍以上必要であり、輪の直径と同程度の閉じた開口部幅の袋体を装着すると取り外しができなくなる。そのため使用に適した袋体を予め限定する不便がある。
【００１７】
犬糞の収容具において、袋体を装着した枠体もしくは輪の、糞を受けるべき側に糞が収容できず、それ以外の側に糞が滴り落ちた場合、袋体の内外周の両面に糞が付着する可能性があり、これを最小限にしていずれか一方の面のみに糞が堆積、付着するように袋体を装着できる犬糞の収容具が必要である。
【課題を解決するための手段】
【００１８】
犬糞を収容できる交換可能な袋体と、この袋体を装着する筒状の枠体と、この枠体の外周一側から下方に垂設した支柱と、この支柱の下端を支持する先端より他端に向けた一定部分が下方に折曲した柄と、この柄の他端に形成された把持部と、前記枠体に複数個周設された前記袋体の係止部材とによりなる犬糞の収容具。
【００１９】
前記収容具の枠体に袋体を開口して下向きに前記枠体上端より外周に沿い過半を被せ、残る前記袋体を底部から前記枠体上端より内周に向け前記袋体の開口部を超えない位置まで押込み前記枠体の内周上に糞を収容する袋体の凹みを前記枠体の外周上に糞を撥する袋体の覆いを形成するして保持する。
【００２０】
前記袋体の形状を得るために前記枠体の高さは、装着する袋体の開口部より底部までの長さの半分未満であり、前記枠体の上端から前記枠体の外周一側より下方に垂設した支柱の下端までの高さは装着する袋体の開口部より底部までの長さの半分超とする。
【００２１】
枠体の外周一側に柄を突設したのと同様の操作性を得るため、また重心を枠体と柄と把持部のそれぞれより下方に置くため、先端より他端に向けた一定の部分を下方にくの字に折曲形成した柄の先端と、筒状の枠体の外周一側から下方に垂設した支柱の下端をＶ字型を形成するように接合して、前記枠体と前記柄および把持部を水平に配置した。
【００２２】
枠体に装着した袋体を一時的に固定させるための枠体の外周に複数個の円孔を貫設し、前記円孔に弾性復元力のある部材を貼着または嵌着し、開閉可能の切り込みを穿設し、これに袋体を押込んで係止させる。
【発明の効果】
【００２３】
袋体の内周もしくは外周のいずれか一方の面を糞が付着する面とし、糞を受ける凹みと糞を撥する覆いとして、収容具に装着して糞の落ちる方向に対して露出させることで他の一方の面に糞が付着しないようにできる。このため収用具の筒状の枠体前方の上端を地面に付けて地面に落ちた糞を掻き入れても同様に糞が付着しない。
【００２４】
筒状の枠体を支える支柱はこの枠体を垂直に支えているため、袋体を開口し枠体上端より外周に過半を被せる際じゃまにならなず、袋体の過半を被せることで枠体と袋体の凹み部分の反対面を覆い隠すことができる。
【００２５】
係止め部材に袋体を押し込むことで筒状の枠体の周長よりも大きければ様々な周長の袋体が使用でき、弾性の紐体等を周回させて係止めする必要が無い。
【発明を実施するための最良の形態】
【００２６】
図1は犬糞の収容具の本体の斜視図である。本体中の、１は糞受け袋を装着する筒状の枠体、２は支柱、３は柄、４は把持部、５は前記枠体に貫設した円孔、６は係止部材である。
【００２７】
本体のうち筒状の枠体１、支柱２、柄３、及び把持部４は合成樹脂により一体に形成される他、各部位毎に鉄鋼、アルミ材、ステンレス材、合成樹脂等により個別に形成して組み立てるものでもよい。係止部材６についてはゴム等の素材を使用する。
【００２８】
係止部材６は弾性復元力があり、かつ摩擦係数の高いゴム等で、円形に形成したものを、筒状の枠体１に貫設した円孔５の周縁に貼着または嵌着する。
【００２９】
係止部材６には中心に円孔５と同程度の幅で横方向の開閉可能な切り込み６ａを穿設する。前記切り込み６ａに素材がビニール等からなる袋体の一部を押し込むと弾性復元力でビニール等が締め付けられ、ビニール等とゴムの摩擦力によりビニール等が切り込み６ａから外れなくなり、また一定以上の力でビニール等を引くとゴムの弾性により切り込み６ａの締め付けがゆるみビニール等とゴムの摩擦力が無くなり係止が解除される構造とする。前記切り込み６ａを１本の直線とすることで押込んだ袋体が破れることを防止できる。
【００３０】
筒状の枠体１と柄３が平行に位置するように柄３の先端３ａから把持部４への一定の位置３ｂで柄３を下方にくの字に折曲形成して、筒状の枠体１の外周一側から下方に垂設した支柱２の下端２ａと柄３の先端３ａをＶ字型を形成するように接合する。これにより筒状の枠体１にまっすぐの柄を突設した場合と同じ動きの操作ができる。また重心を柄３と筒状の枠体１を結ぶ線より下方におくことができ安定した操作ができる。
【００３１】
図２は犬糞の収容具に袋体の開口部を被せた斜視図である。７は素材がビニール等からなる袋体であり、この開口部７ａを開口して筒状の枠体上端１ｃより筒状の枠体外周１ａに沿って支柱下端２ａまでまっすぐに過半を被せて、袋体底部７ｂを手で筒状の枠体内周１ｂに沿って下方に押込む。
【００３２】
図３は犬糞の収容具に袋体を装着した斜視図である。前記のように袋体底部７ｂを押込むことで筒状の枠体内周１ｂ側に袋体７の凹みが形成され筒状の枠体外周１ａ側に袋体７の覆いが形成された装着形状を得る。
【００３３】
図４は犬糞の収容具に袋体を装着した断面図である。袋体７を袋体開口部７ａから袋体底部７ｂが露出しないように筒状の枠体１に装着して係止部材６にある切り込み６ａに筒状の枠体１の外周方向から袋体の一部７ｃを押込んで係止をする。これにより袋体の底部７ｂ一帯が開口部７ｂで覆われた形状を持続的に保持できる。
【００３４】
本発明は筒状の枠体１外周一側より下方に支柱２を垂設して、袋体開口部７ａが部分的に捲れ上がる等装着形状に支障を与えない構造であるため、筒状の枠体上端１ｃからから支柱下端２ａまでの長さは装着するべき袋体の開口部７ａから底部７ｂまでの半分を超える長さとし、筒状の枠体１の高さ、すなわち筒状の枠体上端１ｃから筒状の枠体下端１ｄまでの長さは装着するべき袋体の開口部７ａから底部７ｂまでの半分を下回る長さの範囲として筒状の枠体１および支柱２を形成するものとする。
【００３５】
本発明は以上のような構造であり、これを使用するときは以下のようになる。
操作用の把持部４を手で握り袋体７を装着した筒状の枠体上端１ｃを上に向けて犬の肛門の下に挿入して筒状の枠体内周１ｂ内側に犬の糞を受ける。 通常は犬糞は袋体底部７ｂより堆積する。
【００３６】
図５は犬糞の収容具から袋体を引き抜いている状態の斜視図である。袋体開口部７ａの一部を捲り上げ袋体底部７ｂより上の任意の部分を掴んで下方に引き係止部材６と袋体７ｃの係止を解除し筒状の枠体１より外し、袋体７の開口部７ａから底部７ｂにかけた任意の部分を縛って袋体を廃棄する。
【００３７】
犬が肛門から糞を出した状態で動きだした場合には袋体を装着した筒状の枠体内周１ｂを動いた方向に動かして筒状の枠体内周１ｂ以外に糞を落とさないようにする。
【００３８】
糞の受取りがうまくいかず、一部の糞が筒状の枠体外周１ａ側にある袋体の一部に付着した場合は、袋体開口部７ａで糞が付着していない部分を捲り上げ袋体底部７ｂより上の任意の部分を掴んで下方に引き係止部材６と袋体７ｃ係止を解除して筒状の枠体１より外し、袋体７の開口部７ａから底部７ｂにかけた任意の部分を縛って袋体を廃棄する。
【００３９】
図６は犬糞の収容具を地面に押し当てて糞を掻き入れている状態の斜視図である。糞が収容具以外の地面に落ちた場合は袋体を装着した筒状の枠体１を地面に押し当て把持部４を垂直に立てて筒状の枠体上端１ｃを糞の方向に向け糞を掻き入れ、地面から離して袋体開口部７ａで糞が付着していない部分を捲り上げ袋体底部７ｂより上の任意の部分を掴んで下方に引き係止部材６と袋体７ｃ係止を解除して筒状の枠体１より外し、袋体７の開口部７ａから底部７ｂにかけた任意の部分を縛って袋体を廃棄する。
【００４０】
糞を掻き入れる際に使用する補充具としては不要の厚紙、木片、小枝等、使用後糞とともに袋詰めして廃棄できるものとする。
【００４１】
図５に示す要領で袋体１を引き抜くことで糞が堆積もしくは付着する部分が引き抜いた後の袋体１の内側に納まるため、袋体１を引き抜き又は縛るときに手に糞が付かない。
【図面の簡単な説明】
【００４２】
【図１】犬糞の収容具本体の斜視図
【図２】犬糞の収容具に袋体の開口部を被せた斜視図
【図３】犬糞の収容具に袋体を装着した斜視図
【図４】犬糞の収容具に袋体を装着した断面図
【図５】犬糞の収容具から袋体を引き抜いている状態の斜視図
【図６】犬糞の収容具を地面に押し当てて糞を掻き入れている状態の斜視図
【符号の説明】
【００４３】
１       枠体
１ａ     枠体外周
１ｂ     枠体内周
１ｃ     枠体上端
１ｄ     枠体下端
２       支柱
２ａ     支柱下端
３       柄
３ａ     柄先端
３ｂ     柄折曲部
４       把持部
５       枠体の円孔
６       係止部材
６ａ     係止部材の切込み
７       袋体
７ａ     袋体開口部
７ｂ     袋体底部
７ｃ     袋体挿入部
８       犬糞
【図１】
2005065579.tif 000003
【図２】
2005065579.tif 000004
【図３】
2005065579.tif 000005
【図４】
2005065579.tif 000006
【図５】
2005065579.tif 000007
【図６】
2005065579.tif 000008